(57)【特許請求の範囲】
【請求項１】
インターフェース端子群を有する第１フレキシブル配線基板と、
前記第１フレキシブル配線基板に接合されて前記インターフェース端子群の少なくとも１つの端子に電気的に接続された第２フレキシブル配線基板と、
前記第１フレキシブル配線基板に電気的に接続されて接合された表示パネルと、
前記表示パネルの上に重なって、前記第２フレキシブル配線基板に電気的に接続されて接合されたサブパネルと、
を有し、
前記第１フレキシブル配線基板は、前記表示パネルの端部から側方に延びて戻る方向に屈曲して前記表示パネルの下方に延び、
前記第２フレキシブル配線基板は、前記第１フレキシブル配線基板の上方で前記サブパネルの端部から側方に延びる上側端部と、前記上側端部から戻る方向に屈曲する外側屈曲部と、前記外側屈曲部から前記第１フレキシブル配線基板の下方で前記第１フレキシブル配線基板との電気的接続部を通り越すように延びる中間部と、前記中間部から前記電気的接続部の方向に戻るように屈曲する内側屈曲部と、前記内側屈曲部から前記電気的接続部に至る下側端部と、を含むことを特徴とする表示装置。
【請求項２】
請求項１に記載された表示装置において、
前記外側屈曲部と前記内側屈曲部は、屈曲の凸側が相互に反対を向くように位置し、
前記中間部は、前記電気的接続部との重複を避けるように、前記電気的接続部からずれた位置を延び、
前記下側端部は、前記中間部が延びる方向に対して交差する方向に延びる部分を有することを特徴とする表示装置。
【請求項３】
請求項１又は２に記載された表示装置において、
前記内側屈曲部は、前記下側端部から前記中間部に向けて、前記表示パネルから離れる側に屈曲することを特徴とする表示装置。
【請求項４】
請求項１から３のいずれか１項に記載された表示装置において、
前記第１フレキシブル配線基板に搭載されて前記インターフェース端子群の少なくとも１つの端子に電気的に接続されたコネクタを有し、
前記コネクタが前記電気的接続部であることを特徴とする表示装置。
【発明の詳細な説明】
【技術分野】
【０００１】
本発明は、サブパネルを備える表示装置に関する。
【背景技術】
【０００２】
表示装置にＦＰＣ（Flexible Printed Circuits）を使用する例が知られている。特許文献１には、液晶表示パネルとの電気的接続用のＦＰＣと、タッチパネルとの電気的接続用のＦＰＣが使用される例が開示されている。また、装置の小型化の要求から、ＦＰＣをバックライトの背面側に曲げることも知られている。
【先行技術文献】
【特許文献】
【０００３】
【特許文献１】特開２０１０-８５９２３号公報
【発明の概要】
【発明が解決しようとする課題】
【０００４】
複数のＦＰＣは、一方のＦＰＣを他方のＦＰＣに接続すれば、インターフェース端子群を１個所に集約することができ、コネクタを減らし、取り付け工程も減らすことができる。しかし、その場合、複数のＦＰＣを重ねてバックライトの背面に曲げようとすると、ＦＰＣの曲げ半径の違いから、屈曲外側のＦＰＣに引っ張り応力が生じる。これを避けるため、曲げ半径の違いに応じて、屈曲外側のＦＰＣを長くしておくことも考えられるが、その場合、屈曲前にすでにＦＰＣが曲がった状態になっており、パネルとＦＰＣの接合部にせん断力が生じてしまう。
【０００５】
本発明は、応力による悪影響を減らしてインターフェース端子群を１個所に集約することを目的とする。
【課題を解決するための手段】
【０００６】
（１）本発明に係る表示装置は、インターフェース端子群を有する第１フレキシブル配線基板と、前記第１フレキシブル配線基板に接合されて前記インターフェース端子群の少なくとも１つの端子に電気的に接続された第２フレキシブル配線基板と、前記第１フレキシブル配線基板に電気的に接続されて接合された表示パネルと、前記表示パネルの上に重なって、前記第２フレキシブル配線基板に電気的に接続されて接合されたサブパネルと、を有し、前記第１フレキシブル配線基板は、前記表示パネルの端部から側方に延びて戻る方向に屈曲して前記表示パネルの下方に延び、前記第２フレキシブル配線基板は、前記第１フレキシブル配線基板の上方で前記サブパネルの端部から側方に延びる上側端部と、前記上側端部から戻る方向に屈曲する外側屈曲部と、前記外側屈曲部から前記第１フレキシブル配線基板の下方で前記第１フレキシブル配線基板との電気的接続部を通り越すように延びる中間部と、前記中間部から前記電気的接続部の方向に戻るように屈曲する内側屈曲部と、前記内側屈曲部から前記電気的接続部に至る下側端部と、を含むことを特徴とする。本発明によれば、第２フレキシブル配線基板は、サブパネルに近い側に外側屈曲部を有し、サブパネルから離れた側（電気的接合部に近い側）に内側屈曲部を有している。したがって、第１フレキシブル配線基板を曲げる前のまっすぐの状態で、内側屈曲部は屈曲しているが、外側屈曲部はまっすぐに伸ばすことができる。これにより、サブパネルと第２フレキシブル配線基板との接合部のせん断力の発生を抑え、応力による悪影響を減らして、インターフェース端子群を１個所に集約することができる。
【０００７】
（２）（１）に記載された表示装置において、前記外側屈曲部と前記内側屈曲部は、屈曲の凸側が相互に反対を向くように位置し、前記中間部は、前記電気的接続部との重複を避けるように、前記電気的接続部からずれた位置を延び、前記下側端部は、前記中間部が延びる方向に対して交差する方向に延びる部分を有することを特徴としてもよい。
【０００８】
（３）（１）又は（２）に記載された表示装置において、前記内側屈曲部は、前記下側端部から前記中間部に向けて、前記表示パネルから離れる側に屈曲することを特徴としてもよい。
【０００９】
（４）（１）から（３）のいずれか１項に記載された表示装置において、前記第１フレキシブル配線基板に搭載されて前記インターフェース端子群の少なくとも１つの端子に電気的に接続されたコネクタを有し、前記コネクタが前記電気的接続部であることを特徴としてもよい。
【図面の簡単な説明】
【００１０】
【図１】本発明の実施形態に係る表示装置を示す断面図である。
【図２】屈曲前の第１フレキシブル配線基板及び第２フレキシブル配線基板を有する表示装置を示す平面図である。
【図３】図２に示す表示装置の概略を示す斜視図である。
【図４】液晶表示パネル及びこれに接合された屈曲前の第１フレキシブル配線基板を示す図である。
【図５】視差バリア用液晶パネル及びこれに接合された屈曲前の第２フレキシブル配線基板を示す図である。
【図６】図２に示す表示装置の変形例を説明する平面図である。
【発明を実施するための形態】
【００１１】
以下、本発明の実施形態について、図面を参照して説明する。図１は、本発明の実施形態に係る表示装置を示す断面図である。表示装置は、液晶表示パネル１０を有する。液晶表示パネル１０は表示パネルの一例であり、有機ＥＬ（Electro Luminescence）表示パネルなどその他の表示パネルに置き換えてもよい。
【００１２】
液晶表示パネル１０は、ＴＮ（Twisted Nematic）型、ＳＴＮ（Super Twisted Nematic）型、ＶＡ（Vertical Alignment）方式、ＩＰＳ（In-Plane Switching）方式など、構造や方式に限定されない。液晶表示パネル１０は、ガラスなどからなる透明の一対の基板１２，１４を有し、両者間に図示しない液晶が挟まれている。一方の基板１２はＴＦＴ（Thin Film Transistor）基板であり、他方の基板１４はカラーフィルタ基板である。基板１２には、集積回路チップ１６が搭載されている。基板１２，１４（少なくとも画像が表示される表示面）には偏光板１８が貼り付けられている。液晶表示パネル１０は、樹脂などからなるフレーム２０に支持されている。
【００１３】
本実施形態に係る液晶表示装置は、立体画像表示を可能にするものである。詳しくは、人の左右の目に異なる二次元画像を認識させ、その二つの二次元画像を基に、脳が三次元空間を構築する。そのため、液晶表示パネル１０には、左眼画像と右眼画像が表示される。また、表示装置は、視差バリア液晶パネル２２を有する。視差バリア液晶パネル２２はサブパネルの一例であり、タッチパネルなどその他のサブパネルに置き換えてもよい。
【００１４】
視差バリア液晶パネル２２は、視差バリア方式（パララックスバリア方式）によって、液晶表示パネル１０に表示された左眼画像と右眼画像を分離して裸眼立体視を可能にするためのものである。視差バリア方式（パララックスバリア方式）とは、画像の表示面に縦縞状のフィルタ（視差バリア）を重ねることで、左目には左目用の映像だけが、右目には右目用の映像だけが映るようにする方式である。
【００１５】
視差バリア液晶パネル２２も、ＴＮ（Twisted Nematic）型、ＳＴＮ（Super Twisted Nematic）型、ＶＡ（Vertical Alignment）方式、ＩＰＳ（In-Plane Switching）方式など、構造や方式に限定されない。視差バリア液晶パネル２２も、ガラスなどからなる透明の一対の基板２４，２６を有し、両者間に図示しない液晶が挟まれている。一方の基板２４はＴＦＴ（Thin Film Transistor）基板である。
【００１６】
サブパネルの一例である視差バリア液晶パネル２２は、表示パネルの一例である液晶表示パネル１０の上（詳しくは表示面側）に重ねられている。視差バリア液晶パネル２２と液晶表示パネル１０は接着層２８を介して接着されている。接着層２８は光透過性であり透明であることが好ましい。
【００１７】
視差バリア液晶パネル２２の液晶表示パネル１０とは反対側の基板２６には偏光板３０が貼り付けられている。これに対して、視差バリア液晶パネル２２の液晶表示パネル１０側の基板２４には、接着層２８が密着している。接着層２８は、液晶表示パネル１０の視差バリア液晶パネル２２側の偏光板１８に密着している。この偏光板１８は、液晶表示パネル１０の視差バリア液晶パネル２２側の偏光板であるとともに、視差バリア液晶パネル２２の液晶表示パネル１０側の偏光板でもある。つまり、１つの偏光板１８が共用されている。
【００１８】
図１に示すように、表示装置は、それぞれ屈曲した第１フレキシブル配線基板３２及び第２フレキシブル配線基板３４を有する。第１フレキシブル配線基板３２は、液晶表示パネル１０の端部から側方に延び、戻る方向に屈曲して、液晶表示パネル１０の下方に延びている。図２は、屈曲前の第１フレキシブル配線基板３２及び第２フレキシブル配線基板３４を有する表示装置を示す平面図である。図３は、図２に示す表示装置の概略を示す斜視図である。
【００１９】
図４は、液晶表示パネル１０及びこれに接合された第１フレキシブル配線基板３２を示す図である。第１フレキシブル配線基板３２はインターフェース端子群３６を有する。表示パネルの一例である液晶表示パネル１０は、第１フレキシブル配線基板３２に電気的に接続されている。第１フレキシブル配線基板３２に形成された図示しない配線パターンを介して、液晶表示パネル１０はインターフェース端子群３６の少なくとも１つの端子に電気的に接続されている。
【００２０】
第１フレキシブル配線基板３２には、コネクタ３８を含む種々の電子部品が搭載されている。コネクタ３８は、インターフェース端子群３６の少なくとも１つの端子に電気的に接続されている。インターフェース端子群３６の少なくとも１つの端子とコネクタ３８の電気的接続のために、図示しない配線パターンが第１フレキシブル配線基板３２に形成されている。
【００２１】
図５は、視差バリア液晶パネル２２及びこれに接合された第２フレキシブル配線基板３４を示す図である。サブパネルの一例である視差バリア液晶パネル２２は、第２フレキシブル配線基板３４（図示しない配線パターン）に電気的に接続されて接合されている。
【００２２】
図３に示すように、第２フレキシブル配線基板３４は、第１フレキシブル配線基板３２に接合されている。そして、第２フレキシブル配線基板３４は、第１フレキシブル配線基板３２のインターフェース端子群３６の少なくとも１つの端子に電気的に接続されている。その電気的接続のために、第２フレキシブル配線基板３４にも図示しない配線パターンが形成されている。第１フレキシブル配線基板３２の図示しない配線パターンと第２フレキシブル配線基板３４の図示しない配線パターンとが電気的に接続される。第２フレキシブル配線基板３４と第１フレキシブル配線基板３２の電気的接続は、コネクタ３８を介してなされている。つまり、コネクタ３８が電気的接続部である。なお、変形例として、半田によって両者を電気的に接続してもよい。
【００２３】
図１に示すように、第２フレキシブル配線基板３４は、視差バリア液晶パネル２２から離れる方向の順に、上側端部４０、外側屈曲部４２、中間部４４、内側屈曲部４６及び下側端部４８を有する。
【００２４】
上側端部４０は、第１フレキシブル配線基板３２の上方で、視差バリア液晶パネル２２の端部から側方に延びる部分である。外側屈曲部４２は、上側端部４０から戻る方向に屈曲する部分である。中間部４４は、外側屈曲部４２から第１フレキシブル配線基板３２の下方でコネクタ３８を通り越すように延びる部分である。中間部４４は、図２に示すように、電気的接続部との重複を避けるように、コネクタ３８からずれた位置を延びる。内側屈曲部４６は、中間部４４から電気的接続部の方向に戻るように屈曲する部分である。外側屈曲部４２と内側屈曲部４６は、屈曲の凸側が相互に反対を向くように位置している。下側端部４８は、図３に示すように、内側屈曲部４６からコネクタ３８に至る部分である。下側端部４８は、中間部４４が延びる方向に対して交差する方向に延びる部分を有する。内側屈曲部４６は、図１に示すように、下側端部４８から中間部４４に向けて、液晶表示パネル１０から離れる側に屈曲する。
【００２５】
本実施形態によれば、第２フレキシブル配線基板３４は、サブパネルの一例である視差バリア液晶パネル２２に近い側に外側屈曲部４２を有し、視差バリア液晶パネル２２から離れた側（電気的接続部に近い側）に内側屈曲部４６を有している。したがって、第１フレキシブル配線基板３２を曲げる前のまっすぐの状態（図３参照）で、内側屈曲部４６は屈曲しているが、外側屈曲部４２はまっすぐに伸ばすことができる。これにより、視差バリア液晶パネル２２と第２フレキシブル配線基板３４との接合部のせん断力の発生を抑え、応力による悪影響を減らして、インターフェース端子群３６を１個所に集約することができる。
【００２６】
図６は、本発明の実施形態に係る表示装置の変形例を説明する平面図である。図６では、図２と同様に、第１フレキシブル配線基板１３２及び第２フレキシブル配線基板１３４を伸ばした状態で示してある。
【００２７】
この変形例では、表示パネルの上に複数のサブパネルが重なっている。すなわち、液晶表示パネル１１０（表示パネル）の上に視差バリア液晶パネル１２２（サブパネル）が重ねられ、その上にさらにタッチパネル（サブパネル）１５０が重なっている。タッチパネル１５０の詳細は周知であるため説明を省略する。
【００２８】
液晶表示パネル１１０及びこれに接合された第１フレキシブル配線基板１３２並びに視差バリア液晶パネル１２２及びこれに接合された第２フレキシブル配線基板１３４の詳細は、上述した液晶表示パネル１０、第１フレキシブル配線基板３２、視差バリア液晶パネル２２及び第２フレキシブル配線基板３４の内容が該当する。
【００２９】
タッチパネル１５０には、別の第２フレキシブル配線基板２３４が接合されている。この第２フレキシブル配線基板２３４の形状、機能及び屈曲位置などの詳細は、視差バリア液晶パネル１２２に接合された第２フレキシブル配線基板１３４の内容が該当する。つまり、第２フレキシブル配線基板２３４も、上述した上側端部４０、外側屈曲部４２、中間部４４、内側屈曲部４６及び下側端部４８と同じ構造を含む。
【００３０】
第１フレキシブル配線基板１３２には複数のコネクタ１３８，２３８が搭載されている。そして、複数の第２フレキシブル配線基板１３４，２３４が複数のコネクタ１３８，２３８にそれぞれ接続されている。なお、第２フレキシブル配線基板２３４には、タッチパネル１５０を制御するための集積回路チップ１５２が搭載されている。
【００３１】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００３２】
１０  液晶表示パネル、１２  基板、１４  基板、１６  集積回路チップ、１８  偏光板、２０  フレーム、２２  視差バリア液晶パネル、２４  基板、２６  基板、２８  接着層、３０  偏光板、３２  第１フレキシブル配線基板、３４  第２フレキシブル配線基板、３６  インターフェース端子群、３８  コネクタ、４０  上側端部、４２  外側屈曲部、４４  中間部、４６  内側屈曲部、４８  下側端部、１１０  液晶表示パネル、１２２  視差バリア液晶パネル、１３２  第１フレキシブル配線基板、１３４  第２フレキシブル配線基板、１３８  コネクタ、１５０  タッチパネル、１５２  集積回路チップ、２３４  第２フレキシブル配線基板、２３８  コネクタ。
【図１】
0005687570.tif 000002
【図２】
0005687570.tif 000003
【図３】
0005687570.tif 000004
【図４】
0005687570.tif 000005
【図５】
0005687570.tif 000006
【図６】
0005687570.tif 000007